(57)【要約】【課題】検診台上の被検者の腕を水平に安定して固定できる腕置き台およびこの腕置き台を備えた被検者載架台を提供する。【解決手段】被検者の腕を置いてベルト５Ｂで固定する腕置きプレート６と、該腕置きプレート６の一端側を回転可能にして検診台の天板１にベルト５Ａで取り外し可能に固定する固定機構部３と、その他端側を水平状態で移動可能に支持すると共にこの動きを固定する機構を備えた支持機構部４と、該支持機構部４を回転可能に天板１に固定する固定部１３により腕置き台２を構成する。【選択図】          図１
2006020666.tif 000002
【特許請求の範囲】
【請求項１】
被検者載架台に寝た状態の被検者の腕を固定する腕置き台であって、腕を置くための腕置きプレートと、被検者の肩の近傍における被検者載架台の位置に前記腕置きプレートの一端を回転可能に固定する固定機構部と、被検者の手先の近傍における前記腕置きプレートの他端を水平状態に移動可能に支持する支持機構とこの移動を固定する固定機構とを備えた支持機構部と、前記支持機構部を被検者載架台に回転可能に固定する固定部とを具備していることを特徴とする腕置き台。
【請求項２】
寝た状態の被検者の腕を固定する腕置き台を備えた被検者載架台であって、前記腕置き台は腕を置くための腕置きプレートと、被検者の肩の近傍における被検者載架台の位置に前記腕置きプレートの一端を回転可能に固定する固定機構部と、被検者の手先の近傍における前記腕置きプレートの他端を水平状態に移動可能に支持する支持機構とこの移動を固定する固定機構とを備えた支持機構部と、前記支持機構部を被検者載架台に回転可能に固定する固定部とを具備していることを特徴とする被検者載架台。
【発明の詳細な説明】
【技術分野】
【０００１】
本発明はＸ線による透視・撮影を行なうＸ線装置に組み合わせて使用する検診台や手術台などに取り付ける腕置き台およびこの腕置き台を備えた被検者載架台に関する。
【背景技術】
【０００２】
従来、検診台あるいは手術台などの被検者載架台用の腕置き台には、一般に固定端を一つとする片持ち梁のような形状のものが使用されており、例えば検診台への固定には、この腕置き台の固定端を検診台自体に固定するものや、被検者の下に敷いて腕を開く角度に合わせて回転させ、これに体重を載せて固定する方法が用いられている。
【特許文献１】特開２００１−１０４２９８号公報
【発明の開示】
【発明が解決しようとする課題】
【０００３】
従来の腕置き台は、検診台に固定する部分が１ヶ所であるために、腕置き台を使用しない場合に容易に検診台から取り外せるようにしたり、被検者の腕を開く角度に合わせて水平方向に回転できる機構を持たせようとすると、腕を安定して支えるだけの十分な強度を得ることが出来なかった。また、腕置き台の回転方向の固定機構が無いために、腕を一定の位置に固定することが困難であった。腕置き台によって被検者の腕が安定に固定されないと検査に支障をきたす恐れがあった。
本発明は、このような状況に鑑みてなされたものであって、検診台や手術台上の被検者の腕を安定に固定することができる腕置き台およびこの腕置き台を備えた被検者載架台を提供することを目的とするものである。
【課題を解決するための手段】
【０００４】
上記の目的を達成するため、本発明の腕置き台は、腕を置くための腕置きプレートと、被検者の肩の近傍における被検者載架台の位置に前記腕置きプレートの一端を回転可能に固定する固定機構部と、被検者の手先の近傍における前記腕置きプレートの他端を水平状態に移動可能に支持する支持機構とこの移動を固定する固定機構とを備えた支持機構部と、前記支持機構部を被検者載架台に回転可能に固定する固定部とを具備している。
【０００５】
また、本発明の被検者載架台は、被検者の肩の近傍における被検者載架台の位置に前記腕置きプレートの一端を回転可能に固定する固定機構部と、被検者の手先の近傍における前記腕置きプレートの他端を水平状態に移動可能に支持する支持機構とこの移動を固定する固定機構とを備えた支持機構部と、前記支持機構部を被検者載架台に回転可能に固定する固定部とを具備している。
本発明の腕置き台およびこの腕置き台を備えた被検者載架台は、上記のように構成されており、検診台や手術台上の被検者の腕を水平状態を保持しながら任意の角度に開いて安定して固定することができる。
【発明の効果】
【０００６】
本発明の腕置き台およびこの腕置き台を備えた被検者載架台は、検診台や手術台などの被検者載架台に寝た状態の、被検者の手先位置に該当する先端部を支持する支持機構部が設けられているので、被検者の腕を水平状態で安定して固定させることができる。また、先端部の支持位置は支持機構部により腕置き台の回転に合わせて移動するので、腕置き台がどの角度にある場合でも同じ強度で先端部を支持することができる。これにより、任意の角度位置に被検者の腕を安定して固定することができる。
【発明を実施するための最良の形態】
【０００７】
本発明による腕置き台の実施例を図面を参照しながら説明する。図１は、検診台（図６に示す）の上部に設置された天板１に取り付けられている腕置き台２の平面図、図２、３、４は、いずれも図１における固定機構部３のＡ−Ａ断面図、支持機構部４のＢ−Ｂ断面図及びＣ−Ｃ断面図を示したものである。
【０００８】
本腕置き台２は、図１に示すように天板１上に仰向きに寝かされている被検者の腕（図示省略）を天板１と平行あるいは必要な角度に開いて、検診や治療などのために右腕または左腕を固定するためのもので、天板１の右側（被検者の右腕側）に取り付けられる右腕置き台２Ａと、天板１の左側（被検者の左腕側）に取り付けられる左腕置き台２Ｂと、その両方あるいはその一方を天板１の側面部に固定するために用いる着脱可能なベルト５Ａから構成されている。
【０００９】
前記右腕置き台２Ａと左腕置き台２Ｂとは対照的な形状を成しているが、その機能は同一である。以下、右腕置き台２Ａの構成について詳細に説明する。右腕置き台２Ａは、腕を置くための腕置きプレート６と、その上端近傍（被検者の右肩辺りに該当する）を中心に腕置きプレート６を水平方向に回転させるための固定機構部３と、その下端近傍（被検者の右腕先端辺りに該当する）を下側から支持して腕置きプレート６を水平状態に保持しながら回転移動を可能にする支持機構部４とから構成されている。前記腕置きプレート６には、腕を固定しておくために用いられるベルト５Ｂを通すためのベルト孔６ａが２ヶ所と、図２に示す固定機構部３を滑合するための軸孔６ｂと、支持機構部４にリンクさせるための案内溝６ｃがそれぞれ形成されている。
【００１０】
また、前記固定機構部３は、図２に示すように、前記腕置きプレート６に設けられた軸孔６ｂと滑合させるための軸部７ａと、前記ベルト５Ａを通すためのベルト孔７ｂとが形成された上部軸体７と、同じく軸孔６ｂと滑合させるための軸部８ａと、ベルト５Ａを通すためのベルト孔８ｂが形成された下部軸体８から構成されている。この上部軸体７と下部軸体８を図２に示すようにベルト孔７ｂ、８ｂの位置を合わせてネジ９で結合することにより、腕置きプレート６は、軸部７ａ、８ａを固定軸にして左右両方向に回転する。
【００１１】
そして、前記下部軸体８の底部には、前記天板１の側面部に当てて取り付けられるように当たり面８ｃが形成されており、図１に示すように天板１の右側面に当たり面８ｃを当てた状態で、ベルト５Ａを前記ベルト孔７ｂ、８ｂに通して天板１に巻きつけマジックバンドなどを利用した締結部（図示省略）で締結することにより、右腕置き台２Ａを天板１に固定することができる。なお、右腕置き台２Ａと左腕置き台２Ｂの両方を使用する場合は、それぞれのベルト孔７ｂ、８ｂにベルト５Ａを通して天板１に巻きつけて締結する。
【００１２】
前記支持機構部４は、図３に示すように、前記腕置きプレート６を下側から支持するアーム１０と、腕置きプレート６の下端にアーム１０の一端をリンクさせるリンク機構１１と、アーム１０の他端を回転可能に天板１の側面部に固定するための固定部１３（図４）とから構成されている。前記リンク機構１１は、腕置きプレート６に形成された案内溝６ｃとアーム１０に形成された案内溝１０ａにリンクして案内溝６ｃ、１０ａ内を自在に移動するスライダ１４と、このスライダ１４に螺合させてその動きを固定する固定ノブ１５から構成されている。また、前記固定部１３は、図４に示すようにアーム１０に固着された回転軸１０ｂを垂直に滑合させる孔１３ａと検診台の側面に取り付けられたレール１２が嵌合する凹みを設け、回転軸１０ｂの浮き上がりを防止するボルト１６から構成されている。
【００１３】
次に、図５を参照しながら、被検者の腕を固定する場合における腕置き台２の一連の動作について説明する。天板１に固定された腕置き台２は、通常使用時以外、検診台の側面に平行になるように、腕置きプレート６とアーム１０は図３に示した固定ノブ１５で固定されている。被検者の腕を必要な角度で固定する場合には、被検者の腕を腕置きプレート６上に置くと共に、ベルト５Ｂを腕置きプレート６のベルト孔６ａに通して、腕を腕置きプレート６に固定する。そして、固定ノブ１５を回してスライダ１４との結合強度を緩める。次に、被検者の腕を持って必要な角度が得られるように矢印方向で示したように腕置きプレート６とアーム１０を水平方向に移動させる。この時、スライダ１４は、腕置きプレート６の案内溝６ｃとアーム１０の案内溝１０ａにリンクしながら自在に移動する。必要な角度に開いた状態で固定ノブ１５によりスライダ１４の動きを固定する。
【００１４】
図６は、本発明による腕置き台２を備えた被検者載架台の実施例を示すもので、Ｃアーム１８ａに固定されたＸ線管１８ｂとＸ線検出器１８ｃを３次元方向に移動可能なＸ線撮影機１８と組み合わせて使用され、検診台１７の天板１の上部（被検者の左右の肩辺り）と側面に設けられたレール１２に固定された腕置き台２により、被検者の腕を天板１と平行あるいは、開いた状態で固定できるようにしたものである。
【００１５】
上記実施例においては、腕置き台２を備えた被検者載架台における被検者載架台を検診台１７として説明しているがこれに限定されるものではなく、例えば腕置き台２を備えた被検者載架台の変形例として、手術台を使用対象にすることもできる。また、腕置き台２の回転方向を水平方向に限定しているが、これに限定されるものではなく、例えば回転部分を自在継ぎ手（ユニバーサル  ジョイント）等で構成して多方向に回転できるようにしてもよい。
【産業上の利用可能性】
【００１６】
本発明はＸ線による透視・撮影を行なうＸ線装置に組み合わせて使用する検診台や手術台などに取り付ける腕置き台およびこの腕置き台を備えた被検者載架台に用いられる。
【図面の簡単な説明】
【００１７】
【図１】本発明による腕置き台２の一実施例を示す平面図である。
【図２】図１における固定機構部３のＡ−Ａ断面図である。
【図３】図１における支持機構部４のＢ−Ｂ断面図である。
【図４】図１における支持機構部４のＣ−Ｃ断面図である。
【図５】腕置き台２の動作を示す動作説明図である。
【図６】腕置き台を備えた被験者載架台の外観を示す斜視図である。
【符号の説明】
【００１８】
１  天板
２  腕置き台
２Ａ  右腕置き台
２Ｂ  左腕置き台
３  固定機構部
４  支持機構部
５Ａ  ベルト
５Ｂ  ベルト
６  腕置きプレート
６ａ  ベルト孔
６ｂ  軸孔
６ｃ  案内溝
７  上部軸体
７ａ  軸部
７ｂ  ベルト孔
８  下部軸体
８ａ  軸部
８ｂ  ベルト孔
８ｃ  当たり面
９  ネジ
１０  アーム
１０ａ  案内溝
１０ｂ  回転軸
１１  リンク機構
１２  レール
１３  固定部
１４  スライダ
１５  固定ノブ
１６  ボルト
１７  検診台
１８  Ｘ線撮影機
１８ａ  Ｃアーム
１８ｂ  Ｘ線管
１８ｃ  Ｘ線検出器
【図１】
2006020666.tif 000003
【図２】
2006020666.tif 000004
【図３】
2006020666.tif 000005
【図４】
2006020666.tif 000006
【図５】
2006020666.tif 000007
【図６】
2006020666.tif 000008